(57)【要約】【課題】ケーブル等に対して位置決めした後、サドルから手を離してもサドルがずれ動くおそれがなく、その後のネジ止め作業等に際してもサドルを押さえ続ける必要がないため、取付作業を簡易迅速に効率よく行なうことが可能となるサドルを提供することを課題とする。【解決手段】帯板の一端部を湾曲することにより、平坦な基部１２とそれに連続する湾曲部１３とを形成し、前記基部１２と前記湾曲部１３の先端部とにネジ通し穴１４、１９を設け、前記基部１２から前記湾曲部１３にかけてＵ字状、Ｖ字状、コ字状等の切線を入れることにより押止舌片１５を形成し、前記押止舌片１５を若干内方に起こすことにより弾発性能を持たせて成る。【選択図】図１
2005045915.tif 000002
【特許請求の範囲】
【請求項１】
帯板の一端部を湾曲することにより、平坦な基部とそれに連続する湾曲部とを形成し、前記基部と前記湾曲部の先端部とにネジ通し穴を設け、前記基部から前記湾曲部にかけてＵ字状、Ｖ字状、コ字状等の切線を入れることにより押止舌片を形成し、前記押止舌片を若干内方に起こすことにより弾発性能を持たせて成るサドル。
【請求項２】
前記押止舌片の自由端部にネジ通し穴を設けた請求項１に記載のサドル。
【請求項３】
前記湾曲部の先端部を上方に反り上がらせた請求項１又は２に記載のサドル。
【請求項４】
前記湾曲部の先端部に補強用リブを形成した請求項１乃至３のいずれかに記載のサドル。
【発明の詳細な説明】
【技術分野】
【０００１】
本発明はサドル、より詳細には、ケーブル等の配線や配管をする際に、ケーブルや管類を壁面等に支持固定するためのサドルに関するものである。
【背景技術】
【０００２】
上記サドルとしては、例えば実公昭６１−３４８１５号公報記載のものが知られている。それは、「帯板１を曲げてケーブルＡを囲むように湾曲部８を形成するとともに両端を一側方において向き合わせて上下取付片２、３とし、上下取付片２、３へネジＢの挿通孔４、５を穿ち、また外方へ開いたときに取付片３の反対側へ位置する補助取付片６を帯板１の側面へ切欠いて一体形成し、補助取付片６へネジＢの挿通孔７を穿つ」ことを特徴とするものである（図５参照）。
【特許文献１】実公昭６１−３４８１５号公報
【０００３】
この従来のサドルによった場合、ケーブルＡへの取付けに当っては、開いた状態の取付片２、３間を更に拡げて、ケーブルＡを湾曲部内に滑り込ませるが、その後取付片２、３を重ねてネジ止めするまでの間、湾曲部はケーブルＡに対して十分広径となっていて、その内面のケーブルＡに当接する部分は多くない。従って、ケーブルＡが水平状態のときにはさ程問題ないが、それが垂直状態にあるときには、一旦位置決めしても、サドルから手を離すとサドルがずれ動いてしまうという問題がある（図６参照）。
【発明の開示】
【発明が解決しようとする課題】
【０００４】
上述したように従来のサドルの場合は、ケーブル等に対して一旦位置決めしても、サドルから手を離すとサドルがずれ動くため、ネジ止め作業が終了するまでサドルを押さえ続けなければならないという煩わしさがあった。
【０００５】
そこで本発明はそのような問題のない、即ち、ケーブル等に対して位置決めした後、サドルから手を離してもサドルがずれ動くおそれがなく、その後のネジ止め作業等に際してもサドルを押さえ続ける必要がないため、取付作業を簡易迅速に効率よく行なうことが可能となるサドルを提供することを課題とする。
【課題を解決するための手段】
【０００６】
本発明は、帯板の一端部を湾曲することにより、平坦な基部とそれに連続する湾曲部とを形成し、前記基部と前記湾曲部の先端部とにネジ通し穴を設け、前記基部から前記湾曲部にかけてＵ字状、Ｖ字状、コ字状等の切線を入れることにより押止舌片を形成し、前記押止舌片を若干内方に起こすことにより弾発性能を持たせて成るサドル、を以て上記課題を解決した。
【０００７】
好ましくは、前記押止舌片の自由端部にネジ通し穴を設け、前記湾曲部の先端部を上方に反り上がらせ、また、前記湾曲部の先端部に補強用リブを形成する。
【発明の効果】
【０００８】
ケーブル等を湾曲部内に収めた状態において、ケーブル等は押止舌片の弾発力によって押さえ止められる。従って、一旦位置決めした後サドルから手を離しても、サドルがずれ動くことがないので、ケーブル等のサドル止め作業を簡易迅速に行なうことが可能となる。また、１点止めに止まらず、押止舌片を利用して２点止めすることもできる。
【発明を実施するための最良の形態】
【０００９】
本発明の好ましい実施の形態につき、添付図面に依拠して説明する。図１は、本発明に係るサドルの一実施形態の斜視図であり、サドル１１は、金属製帯板の一端部を湾曲することにより、平坦な基部１２とそれに連続する湾曲部１３とを形成して成る。
【００１０】
基部１２は湾曲部１３よりも長くし、適宜個所にネジ通し穴を設ける。このネジ通し穴は、好ましくは、基部１２の長さ方向に延びる長孔１４とする。基部１２から湾曲部１３にかかる部分に押止舌片１５が形成される。押止舌片１５は、基部１２から湾曲部１３にかけて、Ｕ字状、Ｖ字状、コ字状等の切線を入れることによって形成することができる。
【００１１】
押止舌片１５は、湾曲部１３側が完全に切り抜かれて自由端１６となり、基部１２側の端辺のみがつながった状態となる。押止舌片１５の自由端１６部分にはネジ通し穴１７が穿設され、また、自由端１６側が若干内方向に起こされる。このようにすることにより、押止舌片１５は、そのつながった部分を支点とする板バネとして機能することになる。
【００１２】
湾曲部１３の先端部分は、ケーブル２１等の導入を容易にするために上方に反らせ（反り上り部１８）、そこにネジ通し穴１９を形成する。なお、２０は、湾曲部１３の先端部分に設けた補強用のリブである。
【００１３】
上記構成のサドル１１の使用方法は、基本的には従来のものと変わらない。即ち、サドル取付位置にて、湾曲部１３を開くようにしてケーブル２１を湾曲部１３内に導入する。その際ケーブル２１は、内方に起こされている押止舌片１５を押圧することになるが、その結果ケーブル２１は、押止舌片１５の弾発力によって湾曲部１３の内面に押し付けられる（図２参照）。従って、サドル１１から手を離しても、サドル１１はケーブル２１を強く抱持してずれ動くことはない。
【００１４】
そこで、ネジ通し穴１９から長孔４にネジ２２を通し、ケーブル２１を壁面等に固定する（１点止め、図３参照）。また、より強固に固定するために、押止舌片１５を外方に折曲させ、ネジ通し穴１７にネジ２３を通し、押止舌片１５の自由端１６を壁面等にネジ止め固定することができる（２点止め、図４参照）。
【図面の簡単な説明】
【００１５】
【図１】本発明に係るサドルの一実施形態の斜視図である。
【図２】本発明に係るサドルの作用を示す図である。
【図３】本発明に係るサドルの使用例（１点止め）を示す図である。
【図４】本発明に係るサドルの他の使用例（２点止め）を示す図である。
【図５】従来のサドルの構成例を示す図である。
【図６】従来のサドルの欠点を示す図である。
【符号の説明】
【００１６】
１１    サドル
１２    基部
１３    湾曲部
１４    長孔
１５    押止舌片
１６    自由端
１７    ネジ通し穴
１８    反り上り部
１９    ネジ通し穴
２０    リブ
２１    ケーブル
２２    ネジ
２３    ネジ
【図１】
2005045915.tif 000003
【図２】
2005045915.tif 000004
【図３】
2005045915.tif 000005
【図４】
2005045915.tif 000006
【図５】
2005045915.tif 000007
【図６】
2005045915.tif 000008